(57)【特許請求の範囲】
【請求項１】
ゴルフ靴用スタッドにおいて、外面及び内面を持つ本体部材と、前記内面から外方に突出した、前記スタッドを前記ゴルフ靴のソケットに固定するようになった靴取り付け部材とを有し、前記靴取り付け部材の中心を通過する軸線方向線（ＡＬ）があり、
前記外面の周囲に亘って突出した複数の歯状突起を有し、これらの歯状突起の各々は外面を有し、この外面は前記靴取り付け部材の側から見て前記軸線方向線（ＡＬ）に対して外方に向けて角度をなしており、ゴルフスイングの平面に亘る横方向安定性及び高められたトラクションを提供する、ことを特徴とするゴルフ靴用スタッド。
【請求項２】
前記内面は、前記靴取り付け部材から間隔が隔てられた周縁部を有し、抗デブリスリングが前記本体部材と一体に形成されており、前記内面から突出している、請求項１に記載のスタッド。
【請求項３】
前記スタッドは、４５Ｄ乃至９５Ｄの範囲のジュロメーター硬度を持つポリウレタンから形成されている、請求項２に記載のスタッド。
【請求項４】
各トラクション歯状突起の前記角度は、前記靴取り付け部材を軸線方向に通過する前記線と各トラクション歯状突起を軸線方向に通過する線の夫々から計測して約３７．５°である、請求項２に記載のスタッド。
【請求項５】
ゴルフ靴用スタッドにおいて、ドーム状の外面及び平らな内面を持つ本体部材と、前記内面から外方に突出した靴取り付け部材と、前記平らな面の縁部に形成された環状抗デブリスリングとを有し、前記靴取り付け部材の中心を通過する軸線方向線（ＡＬ）があり、
前記主本体部材の周囲に亘って円形のアレイをなして突出した複数のトラクション歯状突起を有し、これらのトラクション歯状突起の各々は外面を有し、この外面は前記靴取り付け部材の側から見て前記軸線方向線（ＡＬ）に対して所定の角度で外方に突出しており、ゴルフスイングの平面に亘る横方向安定性及びトラクションを提供する、ことを特徴とするゴルフ靴用スタッド。
【請求項６】
前記トラクション歯状突起は疑似四角錐形状をなしている、請求項５に記載のスタッド。
【請求項７】
前記スタッドは、４５Ｄ乃至９５Ｄの範囲のジュロメーター硬度を持つポリウレタンから形成されている、請求項５に記載のスタッド。
【請求項８】
前記プラスチック材料は、ジュロメーター硬度が５５Ｄのポリウレタンである、請求項７に記載のスタッド。
【請求項９】
前記取り付け部材は、前記主本体部材のベースから外方に延びる螺旋状のねじ山及び前記スタッドが使用中に緩まないように前記ねじ山の一部を充填する少なくとも一つのプラスチック部材を持つ、ねじ山を備えたシャフトである、請求項５に記載のスタッド。
【請求項１０】
ゴルフ靴用スタッドにおいて、ドーム状の外面及び平らな内面を持つ本体部材と、前記内面から外方に突出した靴取り付け手段とを有し、前記靴取り付け部材の中心を通過する軸線方向線（ＡＬ）があり、
前記主本体部材の周囲に亘って突出した複数の疑似四角錐形歯状突起を有し、前記疑似四角錐形歯状突起の各々は外面を有し、この外面は前記靴取り付け部材の側から見て前記軸線方向線（ＡＬ）に対して所定の外方への角度を有し、ゴルフスイングの平面に亘る横方向安定性及びトラクションを提供し、前記歯状突起は低プロファイルであり、パッティンググリーンの表面に加わる損傷を少なくし、
前記本体部材は、前記平らな内面の周縁に形成された抗デブリスリングを有する、ことを特徴とするゴルフ靴用スタッド。
【請求項１１】
運動靴用スタッドにおいて、
外面及び内面を持つ本体部材と、
前記本体部材と一体成形されており、前記内面から外方に突出しており、前記内面に対して垂直な軸線を備えた、ねじ山を備えたシャフトと、
前記外面の周囲に亘って突出した複数の周囲トラクション歯状突起と、
前記ねじ山を備えたシャフト部材の軸線と整合した軸線ＡＬを持つ中央摩耗歯状突起とを有し、前記周囲トラクション歯状突起の各々は外面を有し、この外面は前記靴取り付け部材の側から見て前記軸線ＡＬに対して外方に角度を有し、横方向安定性及び高められたトラクションを提供する、ことを特徴とする運動靴用スタッド。
【発明の詳細な説明】
本発明は、ゴルフ靴用スタッドに関し、更に詳細には、耐久性プラスチック材料で形成されており、外方に角度をなしたトラクション歯状突起（ｔｒａｃｔｉｏｎ  ｔｅｅｔｈ）が設けられたゴルフ靴用スタッド又はスパイクに関する。スタッドは、好ましい実施例では、抗デブリス（ａｎｔｉ−ｄｅｂｒｉｓ）リングを有する。
本発明の背景及び簡単な説明
現存のゴルフ靴用スパイク即ちスタッドについての三つの最も大きな苦情は、トラクションに欠けていること、耐久性に欠けていること、及びゲーム中にきれいにしなくてはならないことである。過去にこれらの問題点を解決しようとする試みがなされた。ディーコン等に賦与された特許第５，５３６，７９３号及び第５，２５９，１２９号では、ゴルフ用スタッド即ちスパイクはプラスチック成形体でできており、靴底と平行な平面内で湾曲しており、ディスク状フランジの中央から半径方向に突出しており、表面の底と一体に形成されており且つ下方に延びる押縁によってトラクション作用が提供される。米国特許第４，７２３，３６６号では、金属製シャフト土台をスタッドのコアに有し、プラスチック製スカートが金属製土台のフランジに直接成形されたトラクションスタッドが提供される。上述のディーコン等に賦与された特許の湾曲したリブ構造は、意匠特許第Ｄｅｓ．３７５，１９２号、第Ｄｅｓ．３７２，３５５号、第Ｄｅｓ．３７１，４５３号、及び第Ｄｅｓ．３６６，７５５号にも開示されている。
本発明の目的は、トラクション及び横方向安定性に優れた改良ゴルフ靴用スタッドを提供することである。本発明の別の目的は、抗デブリス性が改良されたゴルフ靴用スタッドを提供することである。
本発明
本発明は、低プロファイル疑似四角錐形「トラクション歯状突起」を使用するゴルフ靴用スタッドを提供する。疑似四角錐形が好ましいけれども、他の幾何学的形状を使用できる。例えば、トラクション歯状突起は円錐形に形成できる。好ましい実施例では、トラクションを提供するため、中央歯状突起即ち摩耗パッドが下方に真っ直ぐ突出しており、ゴルフスイング中にトラクション及び横方向安定性を提供するため、角度をなした複数のトラクション歯状突起が全体に円形の周囲パターンをなして外方に角度をなして突出している。これらの歯状突起の配向により、スタッドは更に耐久性が高くなる。更に、トラクションのための弾性及び可撓性を提供するばかりでなく、適当な製品寿命を得るのに必要な耐久性を備えた材料が使用される。更に、本発明のスタッドは、デブリス即ち屑の堆積を最小に保つ。抗デブリスリングがスタッドの下側のリム又は縁部に成形されている。トラクション歯状突起及びドーム状の外面は、デブリスをトラクション歯状突起から外方に遠ざけるように設計されている。本発明のスタッドによれば、周囲に亘って設けられた外方に角度をなしたトラクション歯状突起は、どんな他のスタッドとは異なり、ゴルフスイングの平面に亘る横方向安定性及びトラクションを提供する。これらの歯状突起は低プロファイルであり（例えば、従来のスパイクよりも短く）、パッティンググリーンの表面に加わる損傷を減少する。更に、好ましい実施例では、スタッドは中央に摩耗パッドを有する。この摩耗パッドは重量支持面である。或る程度のトラクションを提供するけれども、スタッドに加わる体重の大部分が摩耗パッドで支持され、重量がトラクション歯状突起に加わらないようにし、歯状突起及びスタッドの寿命を延ばす。
体重の大部分がスタッドの中央に向かって差し向けられるため、スタッドは内側から外側に摩耗する。スタッドが内側から外側に摩耗するため、トラクション歯状突起も外方に摩耗する。これにより、歯状突起を、スタッドの寿命に亘って横方向トラクションを提供するのに必要な所望の外方への角度に維持できる。
抗デブリスリングは、スタッドの下側の周縁部に設けられたリブである。抗デブリスリングは、この位置で、スタッドの縁部がゴルフ靴の靴底から分離しないようにし、これによってデブリスの進入を予防する。これと同時に、スタッドがきちんと取り付けられている場合には、リングが圧力により靴底に更にぴったりと装着され、デブリスの進入を予防する。
好ましい形成材料は、ジュロメーター硬度が約５５Ｄのポリウレタン材料である。しかしながら、４５Ｄ乃至９５Ｄのジュロメーター硬度の好ましい硬度範囲の任意の適当な材料から製造できる。
現在市販されているスタッドには、ラッチ歯でできた環状リングがねじ山を備えたシャフトを取り囲み、相補的協働リングが靴底のソケットに形成されたものがある。市販されている他のスタッドには、いわゆる「迅速解放」係止−取り付け構造を備えているものがある。このような特徴は、本発明のゴルフ用スタッドに組み込むことができる。
図面の説明
本発明の以上の及び他の目的、利点、及び特徴は、添付図面を参照して以下の説明を考慮すれば更に明らかになるであろう。
第１図は、本発明を組み込んだゴルフ靴用スタッドの正面図であり、
第２図は、本発明を組み込んだゴルフ靴用スタッドの側面図であり、
第３図は、本発明を組み込んだゴルフ靴の背面図であり、
第４図は、本発明を組み込んだゴルフ靴用スパイク即ちスタッドの３／４角度斜視図であり、
第５図は、本発明を組み込んだスタッドを持つゴルフ靴又は運動靴の斜視図であり、
第６図は、トラクション歯状突起の環状抗デブリスリブリングを組み込んだゴルフ靴用スタッドの斜視図であり、
第７Ａ図及び第７Ｂ図は、靴にスタッドを取り付けるための第１の変形例の周知の技術を示す、一実施例の側面図及び底面図であり、
第８Ａ図及び第８Ｂ図は、靴にスタッドを取り付けるための変形例の周知の技術を組み込んだ別の実施例の側面図及び底面図であり、
第９図は、摩耗パッドをなくした別の実施例の正面図である。
本発明の詳細な説明
次に、添付図面のうち第１図乃至第４図を参照すると、スタッド１０は、好ましくは、ジュロメーター硬度が約５５Ｄの成形プラスチックポリウレタンで形成されているが、約４４Ｄ乃至約９５Ｄのジュロメーター硬度の好ましい範囲の硬度を持つ任意の適当な材料で製造できる。本体１１は、ドーム状の外面１２を有し、この外面の中央には四角錐形摩耗パッド１３が設けられており、このパッドは疑似四角錐形トラクション歯状突起１５−１、１５−２・・・１５−Ｎからなる円形アレイで取り囲まれている。この実施例ではＮは８であり、従って、図示のスタッドには、中央歯状突起１３が摩耗パッドとして役立つ、９個の歯状突起が設けられている。疑似四角錐形歯状突起は、湾曲した外面１５−Ｏ及び角をなす面即ち切子面１５−ＩＮを有する。アレイの外方に角度をなしたトラクション歯状突起１５−１、１５−２、１５−３・・・１５−Ｎの各々は、トラクション歯状突起であり、周囲に亘って外方に角度をなしている。角度をなしたトラクション歯状突起１５−１、１５−２、１５−３・・・１５−Ｎは、ゴルフスイングの平面に亘る横方向安定性及びトラクションの両方を提供する。一つの好ましい実施例では、この外方への角度は、例えば、ねじ山を備えた靴取り付けシャフト１７を通る軸線方向線ＡＬから各歯状突起の軸線方向線ＡＬＴまで計測して約３７・１／２°（３７．５°）の角度である。好ましい実施例では、各トラクション歯状突起は低プロファイルである。更に、角度をなしたこれらの歯状突起は、パッティンググリーンの表面に加わる損傷を小さくするために低プロファイルであり、各歯状突起１５−１、１５−２・・・１５−Ｎのピーク即ち先端１６−１、１６−２、・・・１６−Ｎは平らにしてあるか或いは丸味が付けてある。
抗デブリスリングＯＲが、平らな表面即ち平らなベースＦＢの周縁に、ねじ山を備えた取り付けシャフト１７と同軸に形成されている。この抗デブリスリングは、スタッドの縁部を強化し、スタッドが取り付け工具（図示せず）できちんと取り付けられている場合、スタッドがゴルフ靴の靴底から分離しないようにし、ガラス等のデブリスがスタッドとゴルフ靴の靴底との間に進入することを予防する。
スタッドの歯状突起のこの形態により、疑似四角錐形歯状突起１５−１、１５−２・・・１５−Ｎは、本体１１の周囲に亘って外方に角度をなしており、ゴルフスイングの平面に亘る横方向安定性及びトラクションの両方を提供する。これらの歯状突起は、上述のように低プロファイルであり、パッティンググリーンに加わる損傷を少なくし、好ましくは尖端を備えていない。更に、ドーム状本体部材１１の中央にある摩耗パッド１３は、重量支持面を提供する。これは、トラクションを幾らか提供するけれども、その主目的は、スタッドに作用する体重の大部分を支持し、トラクション歯状突起に重量が加わらないようにし、歯状突起及びスタッドの寿命を延ばすことである。体重の大部分がスタッドの中央に向かって差し向けられるため、スタッドは内側から外側に摩耗する。スタッド又は歯状突起１５−１、１５−２・・・１５−Ｎが内側から外側に摩耗するため、トラクション歯状突起もまた外方に摩耗する。これにより、歯状突起を、スタッドの寿命の間、横方向トラクションを提供するのに必要な所望の外方への角度に維持できる。
一対の円形（又は矩形）の窪み２０、２１が従来の２プロング設置工具を受け入れるようになっている。工具は凹所２０、２１と嵌着係合し、ゴルフスタッドにトルク及び回転を与え、ねじ１７を、複数のスタッド１０−１、１０−２・・１０−Ｎが設置された第５図に示す従来技術のゴルフ靴の靴底に固定されたねじ山を備えた従来のスタッド孔即ちソケットと螺合させる。
主本体部材１１の平らなベースＦＢと隣接したねじ山を備えたシャフトのねじ山１７には、靴に設けられたスタッドソケットのねじ山を備えたボアにスタッドを係止する機能を果たすプラスチック製の条片即ちフィレット（ｆｉｌｌｅｔ）２２が設けられている。
幾つかの現在のゴルフスタッドには、ねじ山を備えたシャフト１７’を取り囲む一連のラッチ歯１７ＬＴが設けられている。これらのラッチ歯は、靴底の雌ねじ孔を取り囲む相補的係止部と協働する。第７Ａ図及び第７Ｂ図を参照されたい。第８Ａ図及び第８Ｂ図に示す別のスタッド取り付け技術は、二つの相互係止三角形、即ち靴底の雌ソケット（図示せず）及びスタッドに設けられた雄ファスナ構造１７ＭＦを使用する。本願に開示したゴルフ靴用スタッドにこのような取り付けの特徴を組み込むことによって、本発明の原理から離れることはない。更に、摩耗パッドを組み込んだ実施例が好ましいけれども、角度をなしたトラクション歯状突起は、摩耗パッドがなくても有利なトラクションを提供する。このような実施例を第９図に示す。
冒頭に述べたように、靴を形成するための好ましい材料は、ジュロメーター硬度が約５５Ｄの成形プラスチックポリウレタンであるが、約４５Ｄ乃至９５Ｄのジュロメーター硬度の好ましい硬度範囲の任意の適当な材料から製造できる。本発明の好ましい実施例を参照して本発明を図示し且つ説明したが、本発明はこの実施例に限定されず、当業者は、以下の請求の範囲によって定義された本発明の範囲内で変形及び変更を行うことができる。
【図１】
0004135991.tif 000002
【図２】
0004135991.tif 000003
【図３】
0004135991.tif 000004
【図４】
0004135991.tif 000005
【図５】
0004135991.tif 000006
【図６】
0004135991.tif 000007
【図７Ａ】
0004135991.tif 000008
【図７Ｂ】
0004135991.tif 000009
【図８Ａ】
0004135991.tif 000010
【図８Ｂ】
0004135991.tif 000011
【図９】
0004135991.tif 000012